(57)【要約】【課題】ユーザが操作することなく自動的に機能設定を変更可能な携帯端末装置、通信システム、及び制御プログラムを提供すること。【解決手段】本発明にかかる携帯端末装置１００は、通信部１０１と、通信状態検知部１０２と、設定変更部１０３と、を備える。通信部１０１は、ユーザが携帯可能な対向装置１１０と近距離無線通信可能である。通信状態検知部１０２は、携帯端末装置１００と対向装置１１０との間の無線通信の通信状態を検知する。設定変更部１０３は、通信状態検知部１０２の検知結果に基づいて、携帯端末装置１００の機能設定を変更する。【選択図】図１
2013157846.tif 000002
【特許請求の範囲】
【請求項１】
携帯端末装置であって、
前記携帯端末装置のユーザが携帯可能な対向装置と近距離無線通信可能な通信手段と、
前記対向装置と前記通信手段との通信状態を検知する通信状態検知手段と、
前記通信状態検知手段の検知結果に基づいて、前記携帯端末装置の機能設定を変更する設定変更手段と、
を備える携帯端末装置。
【請求項２】
前記設定変更手段は、前記通信状態が接続状態から切断状態に変化した場合、前記携帯端末装置の機能設定を変更する請求項１に記載の携帯端末装置。
【請求項３】
前記設定変更手段は、前記通信状態が切断状態から接続状態に変化した場合、前記携帯端末装置の機能設定を変更する請求項１または２に記載の携帯端末装置。
【請求項４】
前記設定変更手段は、前記対向装置から前記通信手段を介してコマンドを受信することなく、前記携帯端末装置の機能設定を変更する請求項１〜３のいずれか一項に記載の携帯端末装置。
【請求項５】
前記携帯端末装置の機能設定には、着信音量設定及びセキュリティ機能設定の少なくとも一方が含まれる請求項１〜４のいずれか一項に記載の携帯端末装置。
【請求項６】
表示手段をさらに備え、
前記表示手段は、前記通信状態検知手段の検知結果に基づいて、前記通信状態を表示する請求項１〜５のいずれか一項に記載の携帯端末装置。
【請求項７】
前記設定変更手段は、前記対向装置から送信され、当該対向装置を前記ユーザが装着しているか否かを示す装着信号と、前記通信状態検知手段の検知結果と、に基づいて、前記携帯端末装置の機能設定を変更する請求項１〜６のいずれか一項に記載の携帯端末装置。
【請求項８】
携帯端末装置と、前記携帯端末装置のユーザが携帯可能な対向装置とを備える通信システムであって、
前記携帯端末装置と前記対向装置とが近距離無線通信可能な通信手段と、
前記携帯端末装置と前記対向装置との通信状態を検知する通信状態検知手段と、
前記通信状態検知手段の検知結果に基づいて、前記携帯端末装置の機能設定を変更する設定変更手段と、
を備える通信システム
【請求項９】
前記対向装置は、前記携帯端末装置のユーザが当該対向装置を装着していることを検知する装着検知手段を備え、
前記設定変更手段は、前記装着検知手段の検知結果と、前記通信状態検知手段の検知結果と、に基づいて、前記携帯端末装置の機能設定を変更する請求項８に記載の通信システム。
【請求項１０】
携帯端末装置の制御プログラムであって、
コンピュータに、
前記携帯端末装置のユーザが携帯可能な対向装置と近距離無線通信を行わせ、
前記対向装置と前記携帯端末装置との通信状態を検知させ、
前記通信状態の検知結果に基づいて、前記携帯端末装置の機能設定を変更させる制御プログラム。
【発明の詳細な説明】
【技術分野】
【０００１】
本発明は携帯端末装置、通信システム、及び制御プログラムに関し、特に無線通信可能な携帯端末装置、通信システム、及び制御プログラムに関する。
【背景技術】
【０００２】
近年、スマートフォン等の携帯端末装置の普及により、様々な情報を簡単に持ち運べるようになり、どこからでも情報にアクセスできるようになった。それに伴い、携帯端末装置の紛失や置き忘れ、放置等により情報の漏洩が懸念されるようになった。
【０００３】
例えば、携帯端末装置には、個人情報等の重要な情報が格納されており、情報の流出が懸念されている。そのため、携帯端末装置は、所有者以外の第三者が操作できないように、ロック機能等のセキュリティ機能を備えている。
【０００４】
なお、近距離圏内における他の携帯端末装置や対向装置と無線通信を用いて接続可能な携帯端末装置が知られている（例えば、特許文献１〜３）。これにより、携帯端末装置は、他の携帯端末装置や対向装置と情報の送受信を行うことができる。
【先行技術文献】
【特許文献】
【０００５】
【特許文献１】特開２０１１−８２９００号公報
【特許文献２】特開２０１１−２４１１８号公報
【特許文献３】特開２００７−２２１６１５号公報
【発明の概要】
【発明が解決しようとする課題】
【０００６】
セキュリティ機能を発揮している携帯端末装置を使用する際には、一時的にセキュリティ機能を解除する必要がある。しかしながら、セキュリティ機能を解除したままの状態で、携帯端末装置を会議室に置き忘れた場合や、オフィスの自席に放置し、離席した場合等においては、再度セキュリティ機能の設定ができず、情報が流出してしまうという問題があった。
【０００７】
同様に、マナーモードの設定を解除して携帯端末装置を使用した後に、マナーモード設定を解除したままの状態でオフィスの自席に携帯端末装置を置き忘れた場合、着信時に音が鳴り、周囲に迷惑をかけてしまうという問題があった。
【０００８】
本発明は、このような問題を解決するためになされたものであり、ユーザが操作することなく自動的に機能設定を変更可能な携帯端末装置、通信システム、及び制御プログラムを提供することを目的としている。
【課題を解決するための手段】
【０００９】
本発明にかかる携帯端末装置は、携帯端末装置であって、前記携帯端末装置のユーザが携帯可能な対向装置と近距離無線通信可能な通信手段と、前記対向装置と前記通信手段との通信状態を検知する通信状態検知手段と、前記通信状態検知手段の検知結果に基づいて、前記携帯端末装置の機能設定を変更する設定変更手段と、を備えるものである。
【００１０】
本発明にかかる通信システムは、携帯端末装置と、前記携帯端末装置のユーザが携帯可能な対向装置とを備える通信システムであって、前記携帯端末装置と前記対向装置とが近距離無線通信可能な通信手段と、前記携帯端末装置と前記対向装置との通信状態を検知する通信状態検知手段と、前記通信状態検知手段の検知結果に基づいて、前記携帯端末装置の機能設定を変更する設定変更手段と、を備えるものである。
【００１１】
本発明にかかる制御プログラムは、携帯端末装置の制御プログラムであって、コンピュータに、前記携帯端末装置のユーザが携帯可能な対向装置と近距離無線通信を行わせ、前記対向装置と前記携帯端末装置との通信状態を検知させ、前記通信状態の検知結果に基づいて、前記携帯端末装置の機能設定を変更させるものである。
【発明の効果】
【００１２】
本発明により、ユーザが操作することなく自動的に機能設定を変更可能な携帯端末装置、通信システム、及び制御プログラムを提供することができる。
【図面の簡単な説明】
【００１３】
【図１】実施の形態１にかかる通信システムのブロック図である。
【図２】実施の形態２にかかる携帯端末装置のブロック図である。
【図３】実施の形態２にかかる近距離無線通信部の動作を示すフローチャートである。
【図４】実施の形態２にかかるイベント配信部の動作を示すフローチャートである。
【図５】実施の形態２にかかる着信通知機能部の動作を示すフローチャートである。
【図６】実施の形態３にかかる通信システムのブロック図である。
【図７】実施の形態３にかかる着信通知機能部の動作を示すフローチャートである。
【発明を実施するための形態】
【００１４】
＜実施の形態１＞
以下、図面を参照して本発明の実施の形態について説明する。本実施の形態にかかる通信システム全体のブロック図を図１に示す。通信システムは、携帯端末装置１００と、対向装置１１０と、を備える。携帯端末装置１００は、通信部１０１と、通信状態検知部１０２と、設定変更部１０３と、を備える。なお、携帯端末装置１００とは、例えば、携帯電話機、スマートフォン、携帯音楽プレーヤー、携帯ゲーム機、タブレットＰＣ（Personal Computer）等である。
【００１５】
通信部１０１は、図示しないアンテナを有し、対向装置１１０の通信部１１１と近距離無線通信を行う。近距離無線通信には、公知の技術を用いることができる。例えば、Ｂｌｕｅｔｏｏｔｈ（登録商標）、赤外線通信、ＲＦＩＤ（Radio Frequency Identification）、無線ＬＡＮ（Local Area Network）等を用いることができる。なお、近距離無線通信の通信可能範囲としては、数ｃｍ〜数ｍが好ましい。
【００１６】
通信状態検知部１０２は、携帯端末装置１００と対向装置１１０との近距離無線通信の通信状態を検知する。具体的には、通信状態検知部１０２は、携帯端末装置１００と対向装置１１０との通信が切断状態であることや、接続状態であることを検知する。検知方法としては、例えば、通信部１０１が定期的に通信部１１１に接続を行う。そして、通信状態検知部１０２は、接続が所定時間確立した場合に接続状態であると検知し、接続が所定時間確立できない場合に切断状態であると検知する。
【００１７】
設定変更部１０３は、通信状態検知部１０２の検知結果に基づいて、携帯端末装置１００の機能設定を変更する。ここで、機能設定とは、携帯端末装置１００が有する機能の設定であり、例えば、着信音量設定、マナーモード設定、セキュリティ機能（キーロック、発信規制、電話帳データ転送等）設定、低消費電力モード設定等である。
【００１８】
対向装置１１０は、携帯端末装置１００のユーザが携帯可能な装置である。対向装置１１０は、通信部１１１を備える。通信部１１１は、携帯端末装置１００の通信部１０１と近距離通信を行う。対向装置１１０は、ユーザが携帯できる携帯装置であれば特に限定されない。
【００１９】
続いて、本実施の形態にかかる携帯端末装置１００の動作例について説明する。まず、対向装置１１０を携帯したユーザが携帯端末装置１００を使用するために把持する。これにより、携帯端末装置１００と対向装置１１０との距離が近距離（例えば、１ｍ以内）となる。すると、通信相手を検出した携帯端末装置１００の通信部１０１と、対向装置１１０の通信部１１１とが、近距離無線通信を行う。つまり、携帯端末装置１００と対向装置１１０との間で、近距離無線通信の接続が確立され、接続状態となる。
【００２０】
次に、ユーザは、携帯端末装置１００を使用するために、図示しない操作部を用いて機能設定を変更する（例えば、マナーモード設定解除、セキュリティ機能解除等）。これにより、ユーザは、携帯端末装置１００の各種機能を利用することができるようになる。
【００２１】
その後、ユーザは、変更した設定のまま、携帯端末装置１００から離れる。例えば、携帯端末装置１００をユーザのデスクに置き忘れた場合や、歩行中に携帯端末装置１００を落としたことに気づかない場合等である。ユーザは対向装置１１０を携帯しているため、ユーザと携帯端末装置１００との距離が離れるにつれて、対向装置１１０と携帯端末装置１００との距離も離れていく。
【００２２】
対向装置１１０と携帯端末装置１００との距離が所定の距離離れると、近距離無線通信の接続状態を確立できなくなる。つまり、近距離無線通信の通信状態が、接続状態から切断状態へと変化する。なお、所定の距離とは、近距離無線通信可能な距離であり、近距離無線通信の通信方法によって適宜設定される。
【００２３】
すると、通信状態検知部１０２が、近距離無線通信の通信状態を検知する。そして、通信状態検知部１０２は、通信状態が接続状態から切断状態へと変化した旨の検知結果を、設定変更部１０３に対して出力する。
【００２４】
設定変更部１０３は、通信状態検知部１０２から出力された検知結果に基づいて、携帯端末装置１００の機能設定を変更する（例えば、マナーモードの有効設定、セキュリティ機能の有効設定等）。
【００２５】
以上のように、本実施の形態にかかる携帯端末装置１００の構成によれば、通信状態検知部１０２が、携帯端末装置１００とユーザが携帯する対向装置１１０との間で行われる近距離無線通信の通信状況を検知する。そして、設定変更部１０３は、通信状態検知部１０２の検知結果に応じて、携帯端末装置１００の機能設定を変更する。そのため、対向装置１１０を携帯するユーザと携帯端末装置１００との距離に応じて、携帯端末装置１００の機能設定を自動的に変更することができる。したがって、携帯端末装置１００がユーザから離れている場合に設定すべき機能を自動的に設定することができる。
【００２６】
なお、設定変更部１０３による機能設定の変更処理は、携帯端末装置１００の操作を必要とせず、通信状態に応じて自動的に実行される。さらに、設定変更部１０３は、対向装置１１０から設定変更を実行させるコマンドを受信することなく、携帯端末装置１００の機能設定を変更する。つまり、設定変更部１０３は、自端末（携帯端末装置１００）からの入力及び他端末（対向装置１１０）からの命令を受けることなく、機能設定を変更する。
【００２７】
＜実施の形態２＞
本発明にかかる実施の形態２について説明する。本実施の形態にかかる携帯端末装置２００のブロック図を図２に示す。携帯端末装置２００は、表示制御部２と、表示部３と、イベント配信部４と、近距離無線通信部５と、アプリ機能部６と、記憶部７と、操作入力部８と、スピーカ９と、周辺デバイス制御部１０と、モデム部１１と、を備える。これらの処理部は、ＣＰＵ(Central Processing Unit)、各種プログラムが格納されたＲＯＭ（Read Only Memory）、及びワークエリアとしてのＲＡＭ（Random Access Memory）等を含む半導体集積回路を有する制御部（図示省略）によって統括的に制御される。なお、図示は省略するが、実施の形態１と同様に、対向装置は、近距離無線通信を行うための通信部を備えている。
【００２８】
表示制御部２は、アプリ機能部６により作成された表示オブジェクトに基づいて、表示用の画面を構築する。また、イベント配信部４からイベントを受信した場合には、当該イベントに応じた画面を構築する。表示部３は、表示制御部２から入力された表示画面を表示する。表示部３は、例えば、液晶ディスプレイや有機ＥＬ（Electro Luminescence）ディスプレイ等である。
【００２９】
イベント配信部４は、処理を要求する要求側からイベントの通知を受け取ると、その通知を必要とする処理側、つまりその通知に対して適切な処理を行う処理側に当該イベントを配信する。ここで、処理を要求する要求側とは、例えば、近距離無線通信部５、表示制御部２、周辺デバイス制御部１０等である。また、通知を必要とする処理側とは、例えば、アプリ機能部６や表示制御部２等である。このように、イベント配信部４は、非同期の処理を要求する要求側と、処理を行う処理側との仲介を行う。そのため、携帯端末装置２００は、近距離無線通信の切断等の非同期のイベントが発生しても、適切にそのイベントを処理することができる。
【００３０】
イベント配信部４は、処理を要求する要求側と、処理を行う側の処理側との仲介を行う際に、記憶部７に格納された配信先リストを参照する。ここで、配信先リストとは、処理を要求する要求側から通知されるイベントと、当該イベントを送信すべき処理側の識別情報と、が対応付けられたデータであり、予め記憶部７に格納されている。
【００３１】
近距離無線通信部５（通信手段及び通信状態判定手段）は、対向装置と近距離無線通信を行う。つまり、近距離無線通信部５は、対向装置と通信する手段をアプリ機能部６に提供する。また、近距離無線通信部５は、近距離無線通信の通信状態を検知し、通信状態をイベントとしてイベント配信部４に通知する。通信状態には、近距離無線通信の接続状態、切断状態、近距離無線通信を用いたデータ受信状態、データ送信状態等が含まれる。
【００３２】
アプリ機能部６（設定変更手段）は、携帯端末装置２００がユーザに対して提供する各種機能を実現する。各種機能とは、例えば、通話機能、メール機能、ゲーム機能、アラーム機能、インターネット機能、着信通知機能、セキュリティ機能等である。また、アプリ機能部６は、イベント配信部４から送信されるイベントに応じて、これらの機能の設定変更も行う。例えば、ユーザの操作によって機能設定が変更される場合は、操作入力部８から入力されたイベントが、周辺デバイス制御部１０を介して、イベント配信部４に通知される。イベント配信部４は、配信先リストを参照して、通知されたイベントをアプリ機能部６に送信する。そして、アプリ機能部６は、受信したイベントに対応する機能の設定を変更する。
【００３３】
記憶部７は、ＲＡＭやＲＯＭ等のメモリである。記憶部７は、上記の配信先リストや、アプリ機能の実行に必要なデータ及びアプリ機能の設定情報等を格納する。
【００３４】
操作入力部８は、キーボード、ボタン、タッチパネル、マイク、レバー等の入力手段である。ユーザが操作入力部８を用いて入力した情報は、周辺デバイス制御部１０に入力される。スピーカ９は、周辺デバイス制御部１０の制御に基づいて、アプリ機能部６が実行する機能に対応する音声を出力する。
【００３５】
周辺デバイス制御部１０は、操作入力部８及びスピーカ９等の入出力デバイスを制御する。周辺デバイス制御部１０は、操作入力部８からの入力情報（イベント）をイベント配信部４に通知する。また、アプリ機能部６が実行する機能に応じて、スピーカ９に音声を出力させる。モデム部１１は、音声通話やインターネット接続等の際に、アナログ信号をデジタル信号に変調すると共に、デジタル信号をアナログ信号に復調する。
【００３６】
続いて、本実施の形態にかかる携帯端末装置２００の動作例を図３〜図５に示すフローチャートを参照して説明する。図３は、近距離無線通信部５の動作を示すフローチャートである。図４は、イベント配信部４の動作を示すフローチャートである。図５は、アプリ機能部６の着信通知機能部の動作を示すフローチャートである。
【００３７】
はじめに、近距離無線通信部５の動作について説明する。近距離無線通信部５は、携帯端末装置２００と対向装置との無線通信が接続状態であるか否かを検知する（ステップＳ１１）。接続状態を検知した場合（ステップＳ１１：Ｙｅｓ）、近距離無線通信部５は、接続通知イベントをイベント配信部４に対して送信する（ステップＳ１２）。そして、近距離無線通信部５は、再び通信状態の検知に戻る。
【００３８】
無線通信の接続状態を検知できない場合（ステップＳ１１：Ｎｏ）、近距離無線通信部５は、無線通信が切断状態であるか否かを検知する（ステップＳ１３）。切断状態を検知した場合（ステップＳ１３：Ｙｅｓ）、近距離無線通信部５は、切断通知イベントをイベント配信部４に対して送信する（ステップＳ１４）。そして、近距離無線通信部５は、再び通信状態の検知に戻る。
【００３９】
無線通信の切断状態を検知できない場合（ステップＳ１３：Ｎｏ）、近距離無線通信部５は、無線通信を介してデータを受信したか否かを検知する（ステップＳ１５）。データ受信を検知した場合（ステップＳ１５：Ｙｅｓ）、近距離無線通信部５は、データ受信通知イベントをイベント配信部４に対して送信する（ステップＳ１６）。そして、近距離無線通信部５は、再び通信状態の検知に戻る。
【００４０】
無線通信を介したデータ受信を検知できない場合（ステップＳ１５：Ｎｏ）、近距離無線通信部５は、無線通信を介してデータを送信したか否かを検知する（ステップＳ１７）。データ送信を検知した場合（ステップＳ１７：Ｙｅｓ）、近距離無線通信部５は、データ送信完了通知イベントをイベント配信部４に対して送信する（ステップＳ１８）。そして、近距離無線通信部５は、再び通信状態の検知に戻る。
【００４１】
次に、イベント配信部４の動作について説明する。イベント配信部４は、処理を要求する要求側（例えば、近距離無線通信部５）からイベントを受信したか否かを判定する（ステップＳ２１）。イベントを受信していない場合（ステップＳ２１：Ｎｏ）、イベント配信部４は、再びイベント受信待機状態に戻る。
【００４２】
イベントを受信した場合（ステップＳ２１：Ｙｅｓ）、イベント配信部４は、記憶部７に格納された配信先リストを参照して、受信したイベントの配信先を確認する（ステップＳ２２）。そして、イベント配信部４は、処理を行う処理側（例えば、アプリ機能部６）にイベントを配信する（ステップＳ２３）。
【００４３】
次に、アプリ機能部６の一機能である着信通知機能部の動作を説明する。まず、着信通知機能部は、切断通知イベントを受信したか否かを判定する（ステップＳ３１）。切断通知イベントを受信した場合（ステップＳ３１：Ｙｅｓ）、着信通知機能部は、現在の着信音の設定状態を記憶部７に保存する（ステップＳ３２）。そして、着信通知機能部は、携帯端末装置２００の着信音を無効（マナーモード）に設定する（ステップＳ３３）。
【００４４】
切断通知イベントを受信しない場合（ステップＳ３１：Ｎｏ）、着信通知機能部は、接続通知イベントを受信したか否かを判定する（ステップＳ３４）。接続通知イベントを受信した場合（ステップＳ３４：Ｙｅｓ）、着信通知機能部は、着信音の設定の復帰処理を行う（ステップＳ３５）。具体的には、着信通知機能部は、ステップＳ３２において記憶部７に保存された設定に戻す。いずれのイベントも受信しない場合（ステップＳ３４：Ｎｏ）、着信通知機能部は、再びイベント受信待機状態に戻る。
【００４５】
ここで、本実施の形態にかかる携帯端末装置２００の動作の一例として、不在着信時の着信音通知の無効化（マナーモード機能有効）と、無効化した通知設定を以前の状態に戻し、着信音通知を再度有効化する一連の動作について説明する。
【００４６】
まず、携帯端末装置２００は、対向装置を携帯するユーザに把持されているものとする。このため、携帯端末装置２００と対向装置との通信状態は接続状態にある。また、このときの着信音の設定は、着信時に着信音を用いて通知を行うように設定されている。つまり、アプリ機能部６において、着信時に着信音を用いて通知を行う着信通知機能が提供される。
【００４７】
次に、上記の状態から、対向装置を携帯するユーザが、携帯端末装置２００を自分のデスクに置き忘れてデスクを離れる。つまり、ユーザは、対向装置と共に、携帯端末装置２００と近距離無線通信可能範囲外へ移動する。これにより、対向装置と携帯端末装置２００との無線通信は接続状態を維持できず、通信状態は接続状態から切断状態へ変化する。
【００４８】
すると、近距離無線通信部５は、対向装置との無線通信が接続状態であるか否か検知する（ステップＳ１１）。上記の通り、対向装置は、近距離無線通信の通信可能範囲外へ移動したため、接続状態を維持できない。そのため、近距離無線通信部５は、接続を検知できない（ステップＳ１１：Ｎｏ）。
【００４９】
次に、近距離無線通信部５は、無線通信が切断状態であるか否かを検知する（ステップＳ１３）。上記の通り、対向装置と携帯端末装置２００との通信状態は切断状態であるため、近距離無線通信部５は、切断状態を検知する（ステップＳ１３：Ｙｅｓ）。そして、近距離無線通信部５は、イベント配信部４に対して、切断状態イベントを送信し、切断時の処理を要求する（ステップＳ１４）。
【００５０】
イベント配信部４は、切断状態イベントを受け取ると（ステップＳ２１：Ｙｅｓ）、記憶部７の配信先リストを参照して、イベントの配信先を確認する（ステップＳ２２）。本実施の形態においては、切断状態イベントは、アプリ機能部６の着信通知機能部の識別情報と対応付けられているものとする。このため、イベント配信部４は、切断状態イベントをアプリ機能部６の着信通知機能部に配信する（ステップＳ２３）。
【００５１】
着信通知機能は、イベント配信部４から切断状態イベントを受け取ると（ステップＳ３１：Ｙｅｓ）、現在の通知機能に関する設定情報、着信音出力の有効・無効、出力レベル等を記憶部７に格納し、着信音の出力を無効化する（ステップＳ３３）。
【００５２】
なお、アプリ機能部６は、切断状態イベントを受信した場合、対向装置と携帯端末装置２００との通信状態が切断状態になったことを示す表示オブジェクトを作成し、表示制御部２に送信してもよい。これにより、表示制御部２は、対向装置と携帯端末装置２００との通信状態が切断状態になったことを表示部３に表示させることができる。
【００５３】
次に、ユーザが、対向装置と共に携帯端末装置２００との近距離無線通信可能範囲内へ戻ってきた場合の動作について説明する。ユーザが、対向装置と共に、携帯端末装置２００と近距離無線通信可能範囲内へ移動すると、対向装置と携帯端末装置２００とが接続可能になる。これにより、無線通信は切断状態から接続状態へ変化する。
【００５４】
すると、近距離無線通信部５は、携帯端末装置２００と対向装置との無線通信が接続状態であることを検知する（ステップＳ１１：Ｙｅｓ）。そして、近距離無線通信部５は、イベント配信部４に対して、接続通知イベントを送信し（ステップＳ１２）、接続時の処理を要求する。
【００５５】
イベント配信部４は、接続通知イベントを受信すると（ステップＳ２１：Ｙｅｓ）、記憶部７に格納された配信先リストから配信先である着信通知機能部を割り出す（ステップＳ２２）。そして、イベント配信部４は、接続通知イベントを着信通知機能部に配信する（ステップＳ２３）。
【００５６】
着信通知機能部は、接続通知イベントを受け取ると（ステップＳ３４：Ｙｅｓ）、記憶部７に保存した設定情報を用いて再設定を行う（ステップＳ３５）。
【００５７】
なお、図３のステップＳ１５において、近距離無線通信部５が対向装置から何らかのデータを受信した場合、データ受信通知イベントをイベント配信部４に送信する（ステップＳ１６）。そして、イベント配信部４は、受信したイベントを対応する処理部に配信する（ステップＳ２３）。これにより、例えば、対応する処理部がスリープ状態であった場合であっても、当該処理部を起動することができる。同様に、図３のステップＳ１７において、近距離無線通信部５が対向装置に対して何らかのデータを送信した場合、データ送信完了イベントをイベント配信部４に送信する（ステップＳ１８）。そして、イベント配信部４は、受信したイベントを対応する処理部に配信する（ステップＳ２３）。これにより、例えば、対応する処理部の動作は不要であるとして、当該処理部をスリープ状態とすることができる。
【００５８】
以上のように、本実施の形態にかかる携帯端末装置２００の構成によれば、近距離無線通信部５が、対向装置との無線通信の通信状態を検知する。検知された通信状態は、イベント配信部４を介して、アプリ機能部６の着信通知機能部に配信される。そして、着信通知機能部は、通信状態が接続状態から切断状態に変化すると、自動的に着信音の無効化を実行する。そのため、ユーザが、会議室やデスク等に携帯端末装置２００を置き忘れた場合に、当該携帯端末装置２００に着信があっても、着信音は鳴らない。したがって、周囲に迷惑をかけることを防止できる。
【００５９】
加えて、ユーザと携帯端末装置２００との距離が離れている場合、携帯端末装置２００が通知動作を行っても意味が無い。そのため、着信音を無効化することにより、電池消費も抑えることができ、携帯端末装置２００の稼働時間を確保することができる。
【００６０】
一方、ユーザが再び携帯端末装置２００を把持する等、ユーザが携帯端末装置２００に近づいた場合、着信音の設定が無効化前の設定に戻る。そのため、ユーザは、着信音の再設定操作を行う必要が無い。
【００６１】
（変形例）
本実施の形態にかかる変形例について説明する。変形例においては、アプリ機能部６の一機能であるセキュリティ機能部の動作例について説明する。なお、携帯端末装置２００及び対向装置の構成は、上述した実施の形態２と同様であるため、説明を省略する。
【００６２】
まず、ユーザが携帯端末装置２００を把持しており、対向装置と携帯端末装置２００との無線通信の状態が接続状態であるとする。また、ユーザが携帯端末装置２００を操作できる状態にするため、セキュリティ機能部のセキュリティ機能は解除されているものとする。
【００６３】
この状態において、ユーザが携帯端末装置２００を落として紛失したとする。すると、ユーザと携帯端末装置２００との距離は離れる。つまり、ユーザは、対向装置と共に、携帯端末装置２００の近距離無線通信可能範囲外へ移動する。これにより、対向装置と携帯端末装置２００との無線通信は接続状態を維持できず、通信状態は接続状態から切断状態へ変化する。
【００６４】
近距離無線通信部５は、通信状態が切断状態であることを検知すると、イベント配信部４に、切断通知イベントを送信する。そして、イベント配信部４は、配信先リストを参照して、当該切断通知イベントをセキュリティ機能部に送信する。
【００６５】
セキュリティ機能部は、切断通知イベントを受信したことを判定すると、携帯端末装置２００のセキュリティ機能の設定を有効にする。その結果、携帯端末装置２００のキーロック等が実行され、第三者に携帯端末装置２００を悪用されることを防止できる。
【００６６】
その後、携帯端末装置２００がユーザの手元に戻ってきた場合、対向装置が携帯端末装置２００の近距離無線通信可能範囲内に入る。これにより、対向装置と携帯端末装置２００との通信状態は切断状態から接続状態へ変化する。
【００６７】
近距離無線通信部５は、通信状態が接続状態であることを検知すると、イベント配信部４に、接続通知イベントを送信する。そして、イベント配信部４は、当該接続通知イベントをセキュリティ機能部に送信する。
【００６８】
セキュリティ機能部は、接続通知イベントを受信したことを判定すると、携帯端末装置２００のセキュリティ機能の設定を解除する。その結果、ユーザは、セキュリティ機能の解除操作を行うことなく、携帯端末装置２００を操作することができる。
【００６９】
＜実施の形態３＞
本発明にかかる実施の形態３について説明する。実施の形態１及び２においては、ユーザが対向装置を携帯していることを前提として説明したが、対向装置と携帯端末装置とが近くにあっても、ユーザが対向装置を携帯していない場合も考えられる。本実施の形態においては、ユーザが対向装置を携帯していることを検知する手段を対向装置に設けたことを特徴とする。
【００７０】
図６に本実施の形態にかかる携帯端末装置３００及び対向装置１２０を備える通信システム全体のブロック図を示す。なお、携帯端末装置３００の構成については携帯端末装置２００と同様であるので、説明を適宜省略する。
【００７１】
対向装置１２０としては、ユーザが携帯できる携帯装置であれば特に限定されないが、本実施の形態においては、対向装置は、ユーザが装着（身につける）できるものとする。例えば、腕時計、指輪、眼鏡、ネックレス、ベルト等である。これにより、ユーザは意図的に対向装置１２０を持ち運ばなくても、装着していればよいので、対向装置１２０を持ち運ぶ煩わしさを解消できる。
【００７２】
対向装置１２０は、通信部１１１に加えて、ユーザが装着していることを検知する装着センサ１１２（装着検知手段）を備える。装着センサ１１２としては、ユーザの体温を検知する温度センサや、ユーザの静脈を検知する静脈センサ等である。これらのセンサを腕時計や指輪等の対向装置１２０に設けることにより、ユーザが対向装置１２０を装着していることを検知できる。
【００７３】
また、上記のような生体情報センサでなく、機械的なセンサであってもよい。例えば、腕時計であれば、バンドのロックがかかっていることを検知してもよいし、ベルトであれば、バックルにベルトが通されていることを検知してもよい。このようなセンサによっても、ユーザが対向装置１２０を装着していることを検知できる。
【００７４】
なお、本実施の形態においては、アプリ機能部６は、携帯端末装置３００と対向装置１２０との無線通信の通信状態に加えて、対向装置１２０がユーザに装着されているか否かを示す装着信号に基づいて、機能設定の変更を行う。
【００７５】
続いて、本実施の形態にかかる携帯端末装置３００及び対向装置１２０の動作例について説明する。なお、以下の説明においては、対向装置１２０が腕時計であるとする。
【００７６】
まず、ユーザが対向装置１２０である腕時計を装着する。すると、対向装置１２０は、装着センサ１１２を用いて、当該対向装置１２０がユーザに装着されているか否かを判定する。上記の通り、対向装置１２０はユーザに装着されているため、装着センサ１１２は、ユーザに装着されていることを検知する。
【００７７】
装着センサ１１２は、対向装置１２０が装着されていることを示す当該検知結果（装着信号）を対向装置１２０の通信部１１１に出力する。通信部１１１は、入力された装着信号を、近距離無線通信を用いて携帯端末装置３００に送信する。近距離無線通信部５は、データ受信を検知し、データ受信検知イベントをイベント配信部４に送信する。それと共に、近距離無線通信部５は、装着センサ１１２からの装着信号を受信すると、当該装着信号をアプリ機能部６に出力する。
【００７８】
イベント配信部４は、データ受信検知イベントを、アプリ機能部６の着信音通知機能部に送信する。なお、データ受信の際に、無線通信は接続されているため、イベント配信部４は、データ受信検知イベントの送信前に、既に接続検知イベントを着信通知機能部に送信している。したがって、着信通知機能部には、接続通知イベント及びデータ受信検知イベントが送信されている。
【００７９】
ここで、ユーザが、対向装置１２０である腕時計を外してデスクに置いた状態で、携帯端末装置３００をデスクに置き忘れ、離席したとする。この場合、対向装置１２０と携帯端末装置３００とは、未だ近距離通信可能範囲内に存在する。そのため、無線通信は接続状態を維持している。
【００８０】
対向装置１２０はユーザの腕から外されたため、装着センサ１１２は、ユーザの体温や静脈等を検知できなくなる。そのため、装着センサ１１２は、ユーザが対向装置１２０を装着していないことを検知する。そして、装着センサ１１２は、対向装置１２０が装着されていないことを示す検知結果（装着信号）を、対向装置１２０の通信部１１１を介して、携帯端末装置３００の近距離無線通信部５へ送信する。
【００８１】
近距離無線通信部５は、対向装置１２０が装着されていないことを示す装着信号を、着信通知機能部に出力する。なお、上記と同様に、近距離無線通信を用いてデータを受信した場合、着信通知機能部には、接続通知イベント及びデータ受信検知イベントが送信される。
【００８２】
このときの着信通知機能部の動作例を示すフローチャートを図７に示す。着信通知機能部は、切断通知イベントを受信しておらず（ステップＳ３１：Ｎｏ）、接続通知を受信している（ステップＳ３４：Ｙｅｓ）。そのため、着信通知機能部は、装着センサ１１２から送信された装着信号に基づいて、対向装置１２０が装着状態であるか否かを判定する（ステップＳ４１）。
【００８３】
着信通知機能部は、近距離無線通信部５から、対向装置１２０が装着されていない旨の装着信号を取得しているため、対向装置１２０は装着状態にないと判定する（ステップＳ４１：Ｎｏ）。したがって、着信通知機能部は、現在の通知機能に関する設定情報、着信音出力の有効・無効、出力レベル等を記憶部７に格納し、着信音の出力を無効化する（ステップＳ３３）。
【００８４】
その後、ユーザが自席に戻り、対向装置１２０である腕時計を装着した場合、装着センサ１１２は、対向装置１２０が装着状態である旨の装着信号を近距離無線通信部５に送信する。そして、着信通知機能部は、近距離無線通信部５から当該検知結果を取得する。これにより、接続通知イベントを受信し（ステップＳ３４：Ｙｅｓ）、対向装置１２０が装着状態（ステップＳ４１：Ｙｅｓ）となるため、着信通知機能部は、記憶部７に保存した設定情報を用いて再設定を行う（ステップＳ３５）。
【００８５】
以上のように、本実施の形態にかかる携帯端末装置３００及び対向装置１２０の構成によれば、対向装置１２０は、ユーザが対向装置１２０を装着していることを検知する装着センサ１１２を備える。また、アプリ機能部６は、携帯端末装置３００と対向装置１２０との無線通信の通信状態及び装着信号に基づいて、機能設定の変更を行う。対向装置１２０自体は携帯端末装置３００の近距離にあるものの、ユーザが対向装置１２０を装着していない場合は、ユーザが携帯端末装置３００の近くにいない可能性が高い。本実施の形態の構成によれば、対向装置１２０が装着されていない場合も、通信状態が切断状態である場合と同様に処理される。そのため、ユーザが対向装置１２０を装着し忘れていた場合であっても、マナーモードやセキュリティ機能等の設定を自動的に有効にすることができる。その結果、第三者による悪用や周囲への迷惑をさらに防止することができる。
【００８６】
上述の実施の形態では、本発明をハードウェアの構成として説明したが、本発明は、これに限定されるものではない。本発明は、図３〜図５、図７における携帯端末装置及び対向装置の処理を、ＣＰＵ（Central Processing Unit）にコンピュータプログラムを実行させることにより実現することも可能である。）
【００８７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８８】
なお、本発明は上記実施の形態に限られたものではなく、趣旨を逸脱しない範囲で適宜変更及び組み合わせをすることが可能である。例えば、図３に示したフローチャートにおいて、複数の検知が行われているが、この検知順序は図３に示す順序に限られない。同様に、図５及び図７の判定順序も図に示す順序に限られない。
【符号の説明】
【００８９】
２  表示制御部
３  表示部
４  イベント配信部
５  近距離無線通信部
６  アプリ機能部
７  記憶部
８  操作入力部
９  スピーカ
１０  周辺デバイス制御部
１１  モデム部
１００、２００、３００  携帯端末装置
１０１、１１１  通信部
１１０、１２０  対向装置
１１２  装着センサ
【図１】
2013157846.tif 000003
【図２】
2013157846.tif 000004
【図３】
2013157846.tif 000005
【図４】
2013157846.tif 000006
【図５】
2013157846.tif 000007
【図６】
2013157846.tif 000008
【図７】
2013157846.tif 000009